(57)【要約】【課題】温度変化による蛍光管の破損を防止するとともに、コンタクトやコネクタの低背化を図る。【解決手段】コンタクト３，３´は、ベース部３１と、蛍光管２１の電極２１１に接触する接触部３３と、ベース部３１に連なり、プリント基板２２の一部分に接続される接続部３４と、蛍光管２１の長手方向Ｌへ接触部３３が移動可能なように、ベース部３１と接触部３３とを連結する連結部３５とを備える。プリント基板２２の平面２２ａに対して垂直な方向Ｄ２と長手方向Ｌとに直交する第１の方向Ｄ１に沿って、ベース部３１と連結部３５と接触部３３とを並べた。【選択図】図１
2011081991.tif 000002
【特許請求の範囲】
【請求項１】
蛍光管の電極と基板とを導通させるコンタクトにおいて、
ベース部と、前記蛍光管の電極に接触する接触部と、前記ベース部に連なり、前記基板の一部分に接続される接続部と、前記蛍光管の長手方向へ前記接触部が移動可能なように、前記ベース部と前記接触部とを連結する連結部とを備え、
前記基板の平面に対して垂直な方向と前記長手方向とに直交する第１の方向に沿って前記ベース部と前記連結部と前記接触部とが並んでいる
ことを特徴とするコンタクト。
【請求項２】
前記連結部が板状であり、その連結部の板厚方向と前記長手方向とが平行であることを特徴とする請求項１記載のコンタクト。
【請求項３】
前記連結部が前記第１の方向へ延びており、前記連結部の両端部の幅が中央部の幅よりも大きいことを特徴とする請求項２記載のコンタクト。
【請求項４】
前記連結部の中央部が折り曲げられていることを特徴とする請求項１〜３のいずれか１項記載のコンタクト。
【請求項５】
請求項１〜４のいずれか１項記載のコンタクトと、
前記コンタクトを収容し、前記ベース部が固定される固定ハウジングと
を備えていることを特徴とするコネクタ。
【請求項６】
前記接続部が前記基板の板厚方向で前記基板を挟持するクリップ状であり、
前記固定ハウジングは前記基板の一部分を受け入れる基板挿入部を有することを特徴とする請求項５記載のコネクタ。
【請求項７】
前記固定ハウジング内に移動可能に装着され、前記接触部と前記蛍光管の電極との接触力を調整する可動ハウジングを備えていることを特徴とする請求項５又は６記載のコネクタ。
【発明の詳細な説明】
【技術分野】
【０００１】
この発明はコンタクト及びそれを備えたコネクタに関する。
【背景技術】
【０００２】
従来、端子と固定ハウジングと可動ハウジングと蓋体とを備えるコネクタが知られている（下記特許文献１参照）。
【０００３】
端子は固定部とリード支持固定部と基板接触部と伸縮吸収部とを有する。固定部は固定ハウジングに固定される。リード支持固定部はほぼ音叉状であり、蛍光管のリード線に接触し、リード線を支持する。基板接触部はインバータ基板の一部分に接触する。伸縮吸収部は蛍光管の長手方向へリード支持固定部が移動可能なように、固定部とリード支持固定部とを連結する。
【０００４】
固定ハウジングは端子を収容し、端子の固定部が固定されるとともに、インバータ基板の一部分を受け容れる。
【０００５】
可動ハウジングは固定ハウジングに移動可能に装着される。
【０００６】
蓋体は可動ハウジングに回転可能に取り付けられる。
【０００７】
上述のコネクタを用いてインバータ基板と蛍光管とを電気的に接続させるには、まず、固定ハウジングの基板挿入口にインバータ基板の一部を挿入し、インバータ基板を端子の基板接触部に接触させる。
【０００８】
次に、蓋体を回転させて蓋体を開き、可動ハウジングの上方から端子のリード支持固定部に蛍光管のリード線を接触させる。
【０００９】
その後、蓋体を逆方向へ回転させて蓋体を閉じる。このとき、蓋体の内面はリード支持固定部を押圧し、リード支持固定部はリード線を挟持する。その結果、インバータ基板と蛍光管とが電気的に接続され、インバータ基板から蛍光管に電力が供給され、蛍光管が点灯する。
【００１０】
蛍光管が点灯すると、蛍光管に熱が発生し、その熱によって蛍光管がその長手方向へ熱膨張する。
【００１１】
蛍光管の熱膨張に応じて端子の伸縮吸収部が蛍光管の長手方向へ伸長するため、蛍光管の熱膨張に端子のリード支持固定部が追随し、蛍光管の破損が起きにくくなる。
【先行技術文献】
【特許文献】
【００１２】
【特許文献１】特開２００８−２０４６５７号公報（段落００１７、００２０、００２１、００２４参照）
【発明の概要】
【発明が解決しようとする課題】
【００１３】
上述のコネクタの端子では、コネクタの高さ方向に沿ってリード固定部、伸縮吸収部、固定部、基板接触部が並んでいる。したがって、端子の高さ寸法が大きくなり、コネクタの低背化が困難だった。
【００１４】
この発明はこのような事情に鑑みてなされたもので、その課題は温度変化による蛍光管の破損を防止するとともに、コンタクトやコネクタの低背化を図ることである。
【課題を解決するための手段】
【００１５】
前述の課題を解決するため請求項１の発明は、蛍光管の電極と基板とを導通させるコンタクトにおいて、ベース部と、前記蛍光管の電極に接触する接触部と、前記ベース部に連なり、前記基板の一部分に接続される接続部と、前記蛍光管の長手方向へ前記接触部が移動可能なように、前記ベース部と前記接触部とを連結する連結部とを備え、前記基板の平面に対して垂直な方向と前記長手方向とに直交する第１の方向に沿って前記ベース部と前記連結部と前記接触部とが並んでいることを特徴とする。
【００１６】
上述のように、基板の平面に対して垂直な方向と長手方向とに直交する第１の方向に沿ってベース部と連結部と接触部とが並んでいるので、コンタクトの上下方向（基板の平面に対して垂直な方向）の寸法が小さくなる。
【００１７】
請求項２の発明は、請求項１記載のコンタクトにおいて、前記連結部が板状であり、その連結部の板厚方向と前記長手方向とが平行であることを特徴とする。
【００１８】
請求項３の発明は、請求項２記載のコンタクトにおいて、前記連結部が前記第１の方向へ延びており、前記連結部の両端部の幅が中央部の幅よりも大きいことを特徴とする。
【００１９】
請求項４の発明は、請求項１〜３のいずれか１項記載のコンタクトにおいて、前記連結部の中央部が折り曲げられていることを特徴とする。
【００２０】
請求項５の発明のコネクタは、請求項１〜４のいずれか１項記載のコンタクトと、前記コンタクトを収容し、前記ベース部が固定される固定ハウジングとを備えていることを特徴とする。
【００２１】
請求項６の発明は、請求項５記載のコネクタにおいて、前記接続部が前記基板の板厚方向で前記基板を挟持するクリップ状であり、前記固定ハウジングは前記基板の一部分を受け入れる基板挿入部を有することを特徴とする。
【００２２】
請求項７の発明のコネクタは、請求項５又は６記載のコネクタにおいて、前記固定ハウジング内に移動可能に装着され、前記接触部と前記蛍光管の電極との接触力を調整する可動ハウジングを備えていることを特徴とする。
【発明の効果】
【００２３】
この発明によれば、温度変化による蛍光管の破損を防止するとともに、コンタクトやコネクタの低背化を図ることができる。
【図面の簡単な説明】
【００２４】
【図１】図１は第１実施形態に係るコンタクトの使用状態を示す斜視図である。
【図２】図２は図１に示す２つのコンタクトのうちの一方のコンタクトの正面図である。
【図３】図３は図２に示すコンタクトの平面図である。
【図４】図４は第２実施形態に係るコネクタの使用状態を示す斜視図である。
【図５】図５は第３実施形態に係るコネクタの使用状態を示す斜視図である。
【図６】図６は図５に示すコネクタを背面板に配置した状態を示す概念図である。
【図７】図７は図５に示すコネクタから固定ハウジングを外した状態を示す斜視図である。
【図８】図８は図５に示すコネクタのコンタクトの斜視図である。
【図９】図９は第４実施形態に係るコネクタに蛍光管を接続していない状態を示す断面図である。
【図１０】図１０は図９に示すコネクタに蛍光管を接続した状態を示す断面図である。
【図１１】図１１は図１０のXI−XI線に沿う断面図である。
【図１２】図１２は図９に示すコネクタのコンタクトが固定ハウジングに組み付けられている状態を示す斜視図である。
【図１３】図１３は図９に示すコネクタのコンタクトの斜視図である。
【図１４】図１４は図９に示すコネクタの可動ハウジングの斜視図である。
【図１５】図１５は図９に示すコネクタの固定ハウジングの側部を切断した状態を示す断面図である。
【図１６】図１６は可動ハウジングが固定ハウジングに仮止めされた状態を示す斜視図である。
【図１７】図１７は可動ハウジングの仮止めを解除した状態を示す斜視図である。
【図１８】図１８は可動ハウジングを固定ハウジングにロックした状態を示す斜視図である。
【発明を実施するための形態】
【００２５】
以下、この発明の実施の形態を図面に基づいて説明する。図１、図４、図５、図７、図８、図１０、図１１、図１３、図１５、図１６、図１７、図１８中には、蛍光管２１の全体が描かれておらず、蛍光管２１の一端部だけが描かれている。なお、後述の各実施形態では、蛍光管２１の長手方向Ｌをコンタクト３，３´，３０３，３０３´，４０３，４０３´又はコネクタ２０１，３０１，４０１の前後方向、プリント基板２２，３２２の平面２２ａ，３２２ａに対して垂直な方向（以下「垂直方向」という）Ｄ２をコンタクト３，３´，３０３，３０３´，４０３，４０３´又はコネクタ３０１，４０１の上下方向、蛍光管２１の長手方向Ｌ及び垂直方向Ｄ２と直交する第１の方向Ｄ１をコンタクト３，３´，３０３，３０３´，４０３，４０３´又はコネクタ３０１，４０１の左右方向とする。
【００２６】
この発明の第１実施形態のコンタクトを図１〜図３に基づいて説明する。
【００２７】
図１に示すように、一対のコンタクト３，３´を介して蛍光管２１とプリント基板（基板）２２とが電気的に接続されている。
【００２８】
図２、図３に示すように、コンタクト３はベース部３１と接触部３３と接続部３４と連結部３５とを有する。コンタクト３は導電性及び弾性を有する１つの金属板に打抜き加工及び曲げ加工を施すことによって形成されている。
【００２９】
ベース部３１はほぼ板状である。ベース部３１は蛍光管２１の長手方向Ｌへ延びている。
【００３０】
接触部３３は蛍光管２１の電極２１１（図１参照）を挟持する。接触部３３は第１接触片３３１と第２接触片３３２と位置決め片３３３とを有する。第１接触片３３１は平板状である。第２接触片３３２はほぼＳ字状であり、誘い込み部３３２aとばね部３３２ｂとを有する。誘い込み部３３２ａは第１接触片３３１から離れるように傾いている。誘い込み部３３２ａは電極２１１を後述する電極収容空間３３４に誘い込む。誘い込み部３３２ａの下部はばね部３３２ｂのばね力により常に第１接触片３３１に押し付けられている。ばね部３３２ｂは第１接触片３３１の下端に連なる。位置決め片３３３は第１接触片３３１の中間部に連なり、第１の方向Ｄ１へ延びている。第１接触片３３１の位置決め片３３３よりも上の部分と第２接触片３３２の位置決め片３３３よりも上の部分との間に形成される空間が電極収容空間３３４である。電極収容空間３３４には蛍光管２１の電極２１１（図１参照）が収容される。電極２１１が電極収容空間３３４に収容されたとき、電極２１１は第１、第２接触片３３１，３３２に挟持されるとともに位置決め片３３３に支持され、電極２１１の垂直方向Ｄ２の位置が決まる。
【００３１】
接続部３４は２つの第１接続片３４１，３４１と１つの第２接続片３４２とで構成されている。２つの第１接続片３４１，３４１はそれぞれほぼＬ字形に折り曲げられ、第２接続片３４２はほぼクランク状に折り曲げられている。第１接続片３４１，３４１、第２接続片３４２はそれぞれベース部３１の下部に連なる。２つの第１接続片３４１，３４１の一方はベース部３１の前部に位置し、他方はベース部３１の後部に位置し、第２接続片３４２はベース部３１の中間部に位置する。第１接続片３４１は半田付け部３４１ａを有する。第２接続片３４２は半田付け部３４２ａを有する。半田付け部３４１ａ，３４２ａはそれぞれプリント基板２２（図１参照）のパッド（図示せず）に半田付けされる。
【００３２】
連結部３５は、蛍光管２１の長手方向Ｌへ接触部３３が移動可能なように、ベース部３１と接触部３３とを連結する。連結部３５は板状であり、垂直方向Ｄ２と長手方向Ｌとに直交する第１の方向Ｄ１へ延びている。連結部３５の板厚方向は長手方向Ｌと平行である。連結部３５の両端部の幅(垂直方向Ｄ２の長さ)は連結部３５の中央部の幅(垂直方向Ｄ２の長さ)よりも大きい。また、連結部３５の第１の方向Ｄ１の中央部をクランク状に折り曲げることによって連結部３５に折曲げ部３５１が形成されている。
【００３３】
図２、図３に示すように、ベース部３１と連結部３５と接触部３３とが第１の方向Ｄ１に沿って並んでいる。
【００３４】
コンタクト３´の形状はコンタクト３を鏡に映したときその鏡に映し出されたコンタクトの形状（コンタクト３の左右が逆になった形状）と同じであるので、コンタクト３と共通する部分に同一符号を付して、コンタクト３´の説明を省略する。
【００３５】
コンタクト３，３´の第１、第２接続片３４１，３４２の半田付け部３４１ａ，３４２ａをリフロー半田付け等の方法によってプリント基板２２のパッドに半田付けすることにより、コンタクト３，３´はプリント基板２２に実装される。
【００３６】
図１に示すように、蛍光管２１の一端部の一対の電極２１１（図１では一方の電極２１１しか見えない）はコンタクト３，３´に接続されるが、蛍光管２１の他端部の一対の電極２１１（図示せず）は蛍光管２１の他端部側に配置されたコンタクト３，３´と同じ構造のコンタクト（図示せず）に接続される。
【００３７】
次に、コンタクト３，３´の使用について説明する。
【００３８】
まず、コンタクト３，３´の第１、第２接続片３４１，３４２の半田付け部３４１ａ，３４２ａをそれぞれプリント基板２２のパッドに半田付けする。
【００３９】
次に、蛍光管２１の電極２１１，２１１をそれぞれコンタクト３，３´の第１接触片３３１と第２接触片３３２との間に挿入し、位置決め片３３３に突き当てればよい。電極２１１を第１接触片３３１と第２接触片３３２との間に挿入するとき、電極２１１は第２接触片３３２の誘い込み部３３２ａによって電極収容空間３３４に誘い込まれる。電極収容空間３３４に収容された電極２１１は第１、第２接触片３３１，３３２で挟持されるとともに、位置決め片３３３に支持され、電極２１１の垂直方向Ｄ２の位置が決まる。
【００４０】
第２接触片３３２は常時第１接触片３３１に押し付けられているので、電極２１１と接触部３３との間に大きな接触力が生じ、電極収容空間３３４に収容された電極２１１は第１接触片３３１、第２接触片３３２に確実に挟持される。
【００４１】
電極２１１が電極収容空間３３４に収容されると、プリント基板２２と蛍光管２１とが電気的に接続され、プリント基板２２から蛍光管２１に電力が供給され、蛍光管２１が点灯する。
【００４２】
蛍光管２１の点灯中、蛍光管２１に熱が発生し、その熱によって蛍光管２１がその長手方向Ｌへ熱膨張したとき、その膨張量に応じてコンタクト３，３´の連結部３５，３５が撓み、接触部３３，３３が蛍光管２１の熱膨張に追従する。
【００４３】
蛍光管２１を消灯したとき、蛍光管２１の温度の低下によって蛍光管２１がその長手方向Ｌへ収縮し、コンタクト３，３´の連結部３５，３５がもとの状態に戻り、接触部３３，３３が蛍光管２１の収縮に追従する。
【００４４】
蛍光管２１の伸縮時、コンタクト３，３´の連結部３５，３５が変形するが、連結部３５の両端部の幅は連結部３５の中央部の幅よりも大きく、しかも連結部３５の中央部に折曲げ部３５１が形成されているので、連結部３５が変形したとき連結部３５の中央部の折曲げ部３５１にも応力が生じ、連結部３５の両端部に応力が集中するのを防止することができる。
【００４５】
第１実施形態によれば、第１の方向Ｄ１に沿ってベース部３１と連結部３５と接触部３３とが並んでいるので、コンタクト３，３´の低背化を図ることができる。
【００４６】
また、蛍光管２１が温度変化によって伸縮し、電極２１１が長手方向Ｌへ移動したとき、コンタクト３，３´の連結部３５が長手方向Ｌへ変形するため、接触部３３が電極２１１の動きに追従し、蛍光管２１の破損を防止できる。
【００４７】
更に、連結部３５が板状であるので、従来のコネクタの端子のジグザグ状の伸縮吸収部に較べ、コンタクト３，３´の曲げ加工時に連結部３５の不必要な変形を治具等で防止する必要がなく、コンタクト３，３´の曲げ加工が容易であり、生産性を向上させることができる。
【００４８】
また、連結部３５の両端部の幅は連結部３５の中央部の幅よりも大きいので、連結部３５の両端部に応力が集中するのを防止することができ、コンタクト３，３´の塑性変形を防止することができる。
【００４９】
更に、連結部３５の中央部に折曲げ部３５１が形成されているので、連結部３５が撓んだときに折曲げ部３５１にも応力が生じるので、連結部３５の両端部に応力が集中するのを防止することができ、コンタクト３，３´の塑性変形を防止することができる。
【００５０】
また、第２接触片３３２を第１接触片３３１に常時押し付けるようなプリロードが第２接触片３３２にかけられているので、電極２１１を第１接触片３３１と第２接触片３３２との間に挿入したとき、大きな接触力が生じる。したがって、コンタクト３，３´の小型化を図ることができるとともに、電極２１１と接触部３３との接触安定性を向上させることができる。
【００５１】
次に、この発明の第２実施形態のコネクタを図４に基づいて説明する。第１実施形態と共通する部分については同一符号を付して、その説明を省略する。
【００５２】
図４に示すように、第２実施形態に係るコネクタ２０１はコンタクト３，３´と固定ハウジング５とを備える。
【００５３】
固定ハウジング５はコンタクト３，３´を収容する。固定ハウジング５は樹脂等の絶縁材料で一体形成され、背面部５２と側面部５３，５３と上面部５５，５５と底面部５６とを有する。
【００５４】
側面部５３，５３と底面部５６との間には前後方向へ延びるスリット５７が形成されている。上面部５５の下面には前後方向へ延びる溝５５ａが形成されている。底面部５６の両側部には前後方向へ延びる凸状の押え部５６ａが形成されている。
【００５５】
コネクタ２０１を組み立てるには、コンタクト３，３´の第１、第２接続片３４１，３４２（図１参照）の半田付け部３４１ａ，３４２ａ（図１参照）を除いた部分をスリット５７に圧入する。その結果、コンタクト３，３´は固定ハウジング５に固定される。底面部５６の押え部５６ａは第１、第２接続片３４１，３４２の半田付け部３４１ａ，３４２ａを除いた部分を側面部５３に押しつける。上面部５５の溝５５ａにはコンタクト３，３´のベース部３１の上部が挿入される。
【００５６】
コンタクト３，３´の半田付け部３４１ａ，３４２ａをプリント基板２２に半田付けすることにより、コネクタ２０１がプリント基板２２に実装される。
【００５７】
第２実施形態によれば、第１実施形態の効果と同様の効果を奏するとともに、図示しない吸着式搬送装置のノズルを用いて固定ハウジング５の上面部５５，５５を吸着することができるので、コネクタ２０１をプリント基板２２上に容易に配置することができる。また、２つのコンタクト３，３´が１つの固定ハウジング５に組み付けられているので、２つのコンタクト３，３´を１つのユニットとして扱うことができ、作業性が向上する。
【００５８】
次に、この発明の第３実施形態のコネクタを図５〜図８に基づいて説明する。第１実施形態と共通する部分については同一符号を付して、その説明を省略する。
【００５９】
図５に示すように、第３実施形態のコネクタ３０１はコンタクト３０３，３０３´と固定ハウジング３０５とを備える。
【００６０】
図７、図８に示すように、コンタクト３０３のベース部３０３１は垂直方向Ｄ２へ延びている。接続部３０３４はプリント基板（基板）３２２の挿入部（一部）３２２２を挟持する。接続部３０３４はクリップ状であり、第１ばね片３３４５と第２ばね片３３４６と第１連結片３３４７と第２連結片３３４８とを有する。第１ばね片３３４５は挿入部３２２２の上面に接触する。第２ばね片３３４６は挿入部３２２２の下面に接触する。第１連結片３３４７は第１ばね片３３４５と第２ばね片３３４６とを連結する。第２連結片３３４８は第１連結片３３４７とベース部３０３１とを連結する。なお、コンタクト３０３´の形状はコンタクト３０３を鏡に映したときその鏡に映し出されたコンタクトの形状（コンタクト３０３の左右が逆になった形状）と同じであるので、コンタクト３０３と共通する部分に同一符号を付して、コンタクト３０３´の説明を省略する。
【００６１】
図５に示すように、固定ハウジング３０５は上部が開放されている筐体状である。固定ハウジング３０５はコンタクト３０３，３０３´とプリント基板３２２の挿入部３２２２とを収容する。固定ハウジング３０５は正面部３０５１と背面部３０５２と側面部３０５３，３０５３と底面部３０５６とを有する。正面部３０５１の上部には切欠き３０５１ａが形成されている。切欠き３０５１ａは正面部３０５１と蛍光管２１との干渉を避ける。正面部３０５１の下部には基板挿入部３０５１ｂが形成されている。基板挿入部３０５１ｂはプリント基板３２２の挿入部３２２２を受け入れる。固定ハウジング３０５の外周面には鍔部３０５７が形成されている。
【００６２】
コネクタ３０１を組み立てるには、コンタクト３０３，３０３´のベース部３０３１を固定ハウジング３０５に固定すればよい。
【００６３】
次に、コネクタ３０１の使用方法を説明する。まず、図５、図６に示すように、金属製又は樹脂製の背面板２３に形成された窓孔（図示せず）に固定ハウジング３０５の下部を挿入し、固定ハウジング３０５の鍔部３０５７を背面板２３の窓孔の周辺部に固定する。
【００６４】
次に、正面部３０５１の基板挿入部３０５１ｂにプリント基板３２２の挿入部３２２２を挿入する。基板挿入部３０５１ｂに挿入部３２２２を挿入すると、挿入部３２２２は接続部３０３４の第１ばね片３３４５と第２ばね片３３４６とで上下方向から挟持される（図７参照）。
【００６５】
最後に、蛍光管２１の２つの電極２１１をそれぞれコンタクト３０３，３０３´の第１接触片３３１と第２接触片３３２との間に挿入する。電極２１１を第１接触片３３１と第２接触片３３２との間に挿入すると、電極２１１は第２接触片３３２の誘い込み部３３２ａによって下方へ誘い込まれ、位置決め片３３３に突き当たる。
【００６６】
第３実施形態によれば、第１実施形態の効果と同様の効果を奏するとともに、固定ハウジング３０５を用いてコンタクト３０３，３０３´を背面板２３に固定することができる。また、コンタクト３０３，３０３´の接続部３０３４がプリント基板３２２の挿入部３２２２を挟持するので、半田付けを行わずにコネクタ３０１をプリント基板３２２に接続することができる。
【００６７】
次に、この発明の第４実施形態のコネクタを図９〜１８に基づいて説明する。第１実施形態と共通する部分については同一符号を付して、その説明を省略する。
【００６８】
図９に示すように、第４実施形態のコネクタ４０１はコンタクト４０３，４０３´と固定ハウジング４０５と可動ハウジング４０７とを備える。なお、コンタクト４０３´の形状はコンタクト４０３を鏡に映したときその鏡に映し出されたコンタクトの形状（コンタクト４０３の左右が逆になった形状）と同じであるので、コンタクト４０３と共通する部分に同一符号を付して、コンタクト４０３´の説明を省略する。
【００６９】
図１３に示すように、コンタクト４０３の接触部４０３３は第１接触片３３１と第２接触片４３３２とで構成されている。第２接触片４３３２の誘い込み部３３２ａにはほぼＣ字形の係合部４３３４が連なる。第２接触片４３３２のばね部４３３２ｂはほぼＵ字形に屈曲した折曲部４３３２ｃを有する。折曲部４３３２ｃによってばね部４３３２ｂのばね長が長くなっている。第２接触片４３３２にはプリロードが掛けられていない。
【００７０】
コンタクト４０３の接続部４０３４は第１接続片４３４１と第２接続片４３４２とで構成されている。第１接続片４３４１は半田付け部４３４１ａを有する。第１接続片４３４１はベース部３１の下部に連なる。第２接続片４３４２は半田付け部４３４２ａを有する。第２接続片４３４２は第１接続片４３４１に連なる。
【００７１】
図９、図１２に示すように、固定ハウジング４０５は背面部４０５２と側面部４０５３，４０５３と底面部４０５６とを有する。背面部４０５２に後述する可動ハウジング４０７の背面部４７１２が接触することによってコンタクト４０３，４０３´の連結部３５の過度の変形が阻止される（図１１参照）。側面部４０５３の上下方向の中間部の内面には凹部４０５３ａが形成されている。凹部４０５３ａは長手方向Ｌへ延び、凹部４０５３ａの一端は固定ハウジング４０５の正面に達している。側面部４０５３の下部には圧入溝４０５３ｂが形成されている。圧入溝４０５３ｂは凹部４０５３ａに通じている。圧入溝４０５３ｂは長手方向Ｌへ延び、圧入溝４０５３ｂの一端は固定ハウジング４０５の正面に達している。側面部４０５３の上部の内面にはロック溝４０５３ｄが形成されている。ロック溝４０５３ｄは長手方向Ｌへ延びている。
【００７２】
側面部４０５３の上部には角柱状部４０５７が形成されている。角柱状部４０５７は側面部４０５３の後部に位置する。角柱状部４０５７の内面に凹部４０５７ａが形成され、凹部４０５７ａの一端が角柱状部４０５７の正面に達している。
【００７３】
図９、図１４、図１５に示すように、可動ハウジング４０７は可動ハウジング本体４７１と一対のロックアーム４７２とを有する。可動ハウジング４０７は垂直方向Ｄ２及び長手方向Ｌへ移動可能に固定ハウジング４０５に装着されている。可動ハウジング４０７はコンタクト４０３，４０３´の接触部４０３３と蛍光管２１の電極２１１との接触力を調節する。
【００７４】
可動ハウジング本体４７１はほぼ角筒状であり、正面部４７１１と背面部４７１２と側面部４７１３，４７１３と仕切り４７１４とを有する。正面部４７１１には１対の切欠き４７１１ａが形成されている。切欠き４７１１ａは正面部４７１１と蛍光管２１の電極２１１との干渉を避ける。側面部４７１３の内面には押圧面４７１３ａと非接触面４７１３ｂと傾斜面４７１３ｃとを有する（図９参照）。傾斜面４７１３ｃは押圧面４７１３ａと非接触面４７１３ｂとをつなげている。仕切り４７１４は可動ハウジング４０７内の空間を２つのコンタクト電極収容空間４７１ａに仕切っている。
【００７５】
ロックアーム４７２の下部は可動ハウジング本体４７１の下部に連結されている。ロックアーム４７２の下部以外の部分と可動ハウジング本体４７１の外面との間にはすき間があり、ロックアーム４７２の下部以外の部分は第１の方向Ｄ１へ変形可能である。ロックアーム４７２の外側の側面にはロック爪４７２ａが形成されている。また、ロックアーム４７２の背面には凸部４７２ｂが形成されている（図１４参照）。
【００７６】
次に、コネクタ４０１の組立方法を説明する。まず、コンタクト４０３，４０３´のベース部３１と接続部４０３４の半田付け部４３４１ａ，４３４２ａを除く部分とを固定ハウジング４０５の正面から側面部４０５３の圧入溝４０５３ｂに圧入し、コンタクト４０３，４０３´を固定ハウジング４０５に固定する。このとき、凹部４０５３ａによって連結部３５と固定ハウジング４０５との干渉が回避される（図１２参照）。
【００７７】
コンタクト４０３，４０３´を固定ハウジング４０５に固定したら、固定ハウジング４０５の上方から可動ハウジング４０７を固定ハウジング４０５に挿入する。可動ハウジング４０７のロックアーム４７２の凸部４７２ｂが固定ハウジング４０５の角柱状部４０５７の凹部４０５７ａの位置に至ると、凸部４７２ｂが凹部４０５７ａに嵌り、仮止めされる。
【００７８】
凸部４７２ｂを凹部４０５７ａに嵌めることによって可動ハウジング４０７の固定ハウジング４０５に対する組み付けが完了する。このとき、図９に示すように、可動ハウジング４０７のコンタクト電極収容空間４７１ａには、コンタクト４０３，４０３´の接触部４０３３の上部が収容されている。また、可動ハウジング４０７の押圧面４７１３ａの下端はコンタクト４０３，４０３´の係合部４３３４に接触している。可動ハウジング４０７の非接触面４７１３ｂはコンタクト４０３，４０３´に接触していない。
【００７９】
次に、コネクタ４０１の使用方法を説明する。
【００８０】
まず、コネクタ４０１をプリント基板（図示せず）に実装する。コネクタ４０１のプリント基板への実装は、固定ハウジング４０５に固定されたコンタクト４０３，４０３´の半田付け部４３４１ａをプリント基板に半田付けして行われる。コネクタ４０１がプリント基板に実装されたとき、可動ハウジング４０７は仮止め位置（図９参照）にある。
【００８１】
次に、蛍光管２１の電極２１１をコンタクト４０３，４０３´の接触部４０３３を構成する第１接触片３３１と第２の接触片４３３２との間に挿入する。図１６に示すように、可動ハウジング４０７に切欠き４７１１ａが形成されているので、可動ハウジング４０７と電極２１１との干渉が回避される。
【００８２】
その後、図１７に示すように、連結部３５（図９参照）のばね力に抗して可動ハウジング４０７を前方（図１７の左方）へスライドさせ、可動ハウジング４０７の凸部４７２ｂを固定ハウジング４０５の凹部４０５７ａから外す。
【００８３】
最後に、図１８に示すように、可動ハウジング４０７を下方へ押し込む。可動ハウジング４０７を下方へ押し込んだとき、可動ハウジング４０７のロックアーム４７２が可動ハウジング本体４７１の方へ撓むため、ロック爪４７２ａが固定ハウジング４０５の側面部４０５３の内面に乗り上げ、その後、図１０、図１５に示すように、ロックアーム４７２のロック爪４７２ａが側面部４０５３のロック溝４０５３ｄに嵌り、可動ハウジング４０７は固定ハウジング４０５にロックされる。また、可動ハウジング４０７の押圧面４７１３ａはコンタクト４０３，４０３´の係合部４３３４を押圧し、これに伴い、第２接触片４３３２が電極２１１を第１接触片３３１に押し付ける。その結果、コンタクト４０３，４０３´の接触部４０３３が蛍光管２１の電極２１１に強く接触し、蛍光管２１とプリント基板とが導通する。
【００８４】
蛍光管２１をコネクタ４０１から外すには、まず、可動ハウジング４０７のロックアーム４７２を可動ハウジング本体４７１の方へ倒して、ロック爪４７２ａをロック溝４０５３ｄから外し、その後、可動ハウジング４０７を上方に引き上げる。上方に引き上げられた可動ハウジング４０７の凸部４７２ｂはコンタクト４０３，４０３´の連結部３５のばね力によって固定ハウジング４０５の凹部４０５７ａに嵌り（図１６参照）、可動ハウジング４０７は固定ハウジング４０５に仮止めされる。この状態では、図９に示すように、コンタクト４０３，４０３´の第２接触片４３３２が第１接触片３３１から離れ、蛍光管２１の電極２１１が接触部４０３３に挟持されなくなるので、蛍光管２１を容易にコネクタ４０１から引き抜くことができる。
【００８５】
第４実施形態によれば、第１実施形態の効果と同様の効果を奏するとともに、固定ハウジング４０５又は可動ハウジング４０７の上面を吸着することができるので、搬送装置を用いてコネクタ４０１をプリント基板（図示せず）上に配置することができる。また、２つのコンタクト４０３，４０３´を１つのユニットとして扱うことができる。
【００８６】
また、可動ハウジング４０７を固定ハウジング４０５に対して仮止め状態（図９参照）にすれば、コンタクト４０３，４０３´の接触部４０３３に蛍光管２１の電極２１１が挟持されなくなり、蛍光管２１をコネクタ４０１に対して容易に挿抜することができる。
【００８７】
更に、可動ハウジング４０７を図９に示す仮止め位置から図１０に示すロック位置まで下げれば、可動ハウジング４０７は固定ハウジング４０５にロックされ、可動ハウジング４０７が上方へ抜けにくくなるとともに、コンタクト４０３，４０３´の接触部４０３３が蛍光管２１の電極２１１を強く挟持する状態が維持されるので、接触部４０３３と電極２１１との高い接触安定性が得られる。
【００８８】
なお、上述の実施形態では、連結部３５は板状であり、連結部３５の板厚方向を長手方向Ｌと平行にしたが、例えば連結部を柱状にしてもよい。
【００８９】
また、上述の実施形態では、連結部３５の両端部の幅が中央部の幅よりも大きくしたが、例えば連結部の幅を均一にしてもよい。
【００９０】
なお、上述の実施形態では、連結部３５の中央部を折り曲げたが、連結部の中央部を折り曲げなくてもよい。
【００９１】
また、上述の実施形態では、コンタクト３，３´、コネクタ２０１，３０１，４０１を、両端部にそれぞれ２つの電極２１１を有する蛍光管２１（例えば熱陰極管）とプリント基板２２，３２２との電気的接続に適用したが、この発明のコンタクト及びコネクタを、両端部にそれぞれ１つの電極を有する蛍光管（例えば冷陰極管）とプリント基板との電気的接続に適用することもできる。
【符号の説明】
【００９２】
２０１，３０１，４０１  コネクタ
３，３´，３０３，３０３´，４０３，４０３´  コンタクト
３１，３０３１  ベース部
３３，４０３３  接触部
３４，３０３４，４０３４  接続部
３５  連結部
３５１  折曲げ部
５，３０５，４０５  固定ハウジング
３０５１ｂ  基板挿入部
４０７  可動ハウジング
２１  蛍光管
２１１  電極
２２，３２２１  プリント基板（基板）
２２ａ，３２２ａ  平面
３２２２  挿入部（一部）
【図１】
2011081991.tif 000003
【図２】
2011081991.tif 000004
【図３】
2011081991.tif 000005
【図４】
2011081991.tif 000006
【図５】
2011081991.tif 000007
【図６】
2011081991.tif 000008
【図７】
2011081991.tif 000009
【図８】
2011081991.tif 000010
【図９】
2011081991.tif 000011
【図１０】
2011081991.tif 000012
【図１１】
2011081991.tif 000013
【図１２】
2011081991.tif 000014
【図１３】
2011081991.tif 000015
【図１４】
2011081991.tif 000016
【図１５】
2011081991.tif 000017
【図１６】
2011081991.tif 000018
【図１７】
2011081991.tif 000019
【図１８】
2011081991.tif 000020